(57)【要約】【課題】同じ時間モーターを駆動させれば、研磨布の巻取り量が常に一定量の巻取り幅となるメダル研磨装置を提供する。【解決手段】メダル研磨装置２に、巻取り軸２８と、巻取り軸２８を駆動するモーター８１と、モーター８１を間欠的に駆動するコントローラ８３とからなる巻取り機構と、研磨布２９の送り量を計測するピッチローラ３４と、ピッチローラ３４の回転数を検出してその回転数をコントローラ８３に伝達するセンサー８２とからなる送り量検出機構とを備えて、センサー８２の検出したピッチローラ３４の回転数をコントローラ８３に送信してモーター８１を間歇的に駆動させて研磨布２９をずらす。遊技機の稼動状況に応じてモーター８１の停止時間を調整する。【選択図】　　図５
2004086537.tif 000002
【特許請求の範囲】
【請求項１】
メダル搬送用ベルトが張設されたうえに、該ベルトに保持されて搬送されるメダルを研磨する研磨布を定量ずらすための研磨布送り装置が配設されたメダル研磨装置であって、該研磨布送り装置は、巻取り機構と送り量検出機構とを備えており、巻取り機構は、研磨布の巻取り軸と、巻取り軸を駆動するモーターと、モーターを間欠的に駆動するコントローラとからなり、送り量検出機構は、研磨布の送り量を計測するピッチローラと、ピッチローラの回転数を検出してその回転数をコントローラに伝達するセンサーとからなることを特徴とするメダル研磨装置。
【発明の詳細な説明】
【０００１】
【発明の属する技術分野】
本発明は、遊技に使用されて汚染したメダルを研磨するためのメダル研磨装置に関するものである。
【０００２】
【従来の技術】
スロットマシンなどの遊技機に使用されるメダルは、遊技者の手の脂、大気中の紫煙、機械油などによって汚染されるために適宜研磨を行って綺麗にしてやる必要がある。メダルを研磨する研磨布を巻取る方法として、研磨布の巻取り軸に直接モーターを取り付け、該モーターを駆動させることにより汚れた研磨布を巻き取る方法が知られている。しかしながら、当然汚れた研磨布を巻き取れば、その巻径は大きくなってゆき、モーターを同じ時間駆動させても、だんだん研磨布の巻取り幅が大きくなっていってしまう。すなわち、徐々に研磨布の一回の巻取り量が増加し、ホール側に対して経費を増大させてしまうことが問題となっていた。
【０００３】
【発明が解決しようとする課題】
本発明は上記した従来の問題点を解決し、同じ時間モーターを駆動させれば、研磨布の巻取り量が常に一定量の巻取り幅となるメダル研磨装置を提供するためになされたものである。
【０００４】
【課題を解決するための手段】
上記の課題を解決するためになされた本発明のメダル研磨装置は、メダル搬送用ベルトが張設されたうえに、該ベルトに保持されて搬送されるメダルを研磨する研磨布を定量ずらすための研磨布送り装置が配設されたメダル研磨装置であって、該研磨布送り装置は、巻取り機構と送り量検出機構とを備えており、巻取り機構は、研磨布の巻取り軸と、巻取り軸を駆動するモーターと、モーターを間欠的に駆動するコントローラとからなり、送り量検出機構は、研磨布の送り量を計測するピッチローラと、ピッチローラの回転数を検出してその回転数をコントローラに伝達するセンサーとからなることを特徴とするものである。
【０００５】
本発明のメダル研磨装置は、研磨布送り装置を、研磨布の巻取り軸と、巻取り軸を駆動するモーターと、モーターを間欠的に駆動するコントローラとからなる巻取り機構と、研磨布の送り量を計測するピッチローラと、ピッチローラの回転数を検出してその回転数をコントローラに伝達するセンサーとからなる送り量検出機構とを備えたものとしたので、研磨布の巻取り量を常に一定量の巻取り幅として、研磨布を無駄に消費することなくメダルを綺麗に研磨することができる。
【０００６】
【発明の実施の形態】
以下に図面を参照しつつ本発明の好ましい実施形態を説明する。
［メダル研磨装置の構成］
メダル研磨装置２の構成を図１、２に示す。メダル研磨装置２には、支持板２０に取付けられたメダル搬送装置３０と、支持板２７に取付けられた一組の研磨布送り装置２６が備えられている。
メダル搬送装置３０には、モーター２１と、このモーター２１によって駆動される駆動プーリ２２と、この駆動プーリ２２に連動する３本の従動プーリ２２ａとが間隔をおいて四角形に配置されている。これらのプーリ２２、２２ａを周回して一対の歯付きの無端ベルト２３が張設されている。なお、図３に示すように、上記した駆動プーリ２２、２２ａには歯２２１が形成されており、又、無端ベルト２３の裏側全周にはこの歯２２１に食い込むように凹凸２３１が形成されているので、無端ベルト２３に多少の負荷がかかったときにも無端ベルト２３を確実に回動させることができる。
【０００７】
そして、図４に示すように、左右に一対の無端ベルト２３には、略コの字形でメダルの厚みより薄いメダル保持用の薄板２４が、一定間隔をおいて梯子段状に配置されてメダル搬送用ベルト３０ａを構成している。この薄板４は前記無端ベルト２３にその両端が固定されており、前後の薄板２４との間に開口したメダル研磨用の受け部２５を形成している。受け部２５は、進行方向には一枚のメダルが入ることのできる寸法であるが、進行方向に対して横方向には複数枚のメダルが入ることのできる幅に形成してあって、複数枚のメダルを横一列に保持して効率的に研磨することができる。このメダル搬送装置３０には研磨済みのメダルを送り出すための排出口３０１が設けてある。
【０００８】
そして、図１、２に示したように、メダル搬送用ベルト３０ａを挟んで対抗して研磨布送り装置２６が配設されている。この研磨布送り装置２６において、研磨布２９は、支持板２７に配設された巻取り軸２８と払出し軸２８ａとに保持されて張設されている。なお、巻取り軸２８には割溝が形成されていて、研磨布２９の先端が割溝に挿し込まれて研磨布２９が係止されている。また、研磨布２９は、研磨布２９を押圧するための抑え板３１と、両端にガイド用ローラ３２とを有する押圧部材３３により支持されて、受け部２５にある移動中のメダルを挟みつけて押圧、研磨する。抑え板３１の裏側にはヒーター３１１が配してあるので研磨布２９を適温に加熱することができる。また、研磨布送り装置２６のメダル入り側には、研磨液の含浸部３９が設けられていて研磨布２９に研磨液を供給することができる。また、指示板２７は、研磨布２９張設用のガイドローラ３４ａと抑えローラ３５とを備えており、メダル研磨装置２は、下部に移動用のキャスター２ａを備えている。
【０００９】
［研磨布送り装置の構成］
図５に研磨布送り装置２６の構成を示すが、研磨布送り装置２６は、巻取り機構と送り量検出機構とを備えており、巻取り機構は、研磨布２９の巻取り軸２８と、巻取り軸２８を駆動するモーター８１と、モーター８１を間欠的に駆動するコントローラ８３とからなり、送り量検出機構は、研磨布２９の送り量を計測するためのピッチ板３４１を有するピッチローラ３４と、ピッチローラ３４の回転数を検出してその回転数をコントローラ８３に伝達するセンサー８２とからなる。コントローラ８３はモーター８１の停止時間をカウントするタイマーを内蔵しているが、このコントローラ８３はセンサー８２とモーター８１とに接続されている。センサー３４はフォトセンサーであって、ピッチローラ３４が回転した時にピッチ板３４１の通過枚数を計数して、この計数値をコントローラ８３に伝達する。コントローラ８３はセンサー８２から送信された計数値に基づき、モーター８１を間欠的に駆動するための信号を発信する。
【００１０】
以下に研磨布２９巻取り時の制御方法を説明する。
モーター８１の駆動により巻取り軸８が回転して研磨布２９がずれると、研磨布２９に接触して配置されているピッチローラ３４が回転する。センサー８２はピッチ板３４１の通過枚数を検出することによって研磨布２９の送り量を検出する。そして、ピッチ板３４１が所定回数通過した時に、コントローラ８３はモーター８１の駆動を停止し、コントローラ８３に内蔵されたタイマーの作動を開始する。このタイマーは間欠的に駆動されるモーター８１の停止時間をカウントするためのものであって、遊技ホールが混んで遊技機の稼動率が高いときには、その停止時間は短く、逆に遊技機の稼動率が低い時にはその停止時間は長く設定することができる。例えば、停止時間を１５分と設定した場合には、モーター８１が停止してタイマーが作動開始後１５分が経過するとモーター８１が駆動されて研磨布２９がずらされる。そして、センサー８２が予め定められた枚数のピッチ板３４１の通過を検出した時にモーター８１は停止されて、再びタイマーが時間をカウントする。以下、同様にこの動作が繰り返されて、研磨布２９を間欠的に所定量ずらすことができる。なお、本装置においては、４枚のピッチ板３４１が通過することで巻取り軸２８が１回転し研磨布２９が２５ｍｍ移動するように設定してある。
【００１１】
［メダルの研磨機構］
使用済みのメダルは、図１に示したように、メダル研磨装置２の端部に設けられたメダル受け器３６に投入される。メダル受け器３６にはメダル搬送用ベルト３０ａに向けて低く傾斜した底面３６１が形成してあるので、メダル受け器３６に投入されたメダルは、メダル搬送用ベルト３０ａの受け部２５に多重に積み重なって送入される。なお、受け部２５に送り込まれたメダルは、張設された研磨布２９の入り口まで支持板３７上を移動する。
【００１２】
メダルがメダル受け器３６から排出されてメダル搬送用ベルト３０ａに送入される位置の上方には、前後にスイングする振り子状のメダル均し部材３８と、このメダル均し部材３８と若干進行方向に距離を置いて、回転ブラシであるメダル均し部材３８ａとが配設されている。したがって、受け部２５に送入されたメダルはメダル均し部材３８、３８ａにより一重の状態に均されて搬送されて、対向して張設された研磨布２９の間を通過するので、メダルの表裏面を同時に研磨することができる。そして、上記した研磨布送り装置２６により研磨布２９を間欠的に送ることによって、研磨能力を維持してメダルを綺麗に研磨することができる。
【００１３】
【発明の効果】
以上に説明したように、本発明のメダル研磨装置は、研磨布送り装置を、研磨布の巻取り軸と、巻取り軸を駆動するモーターと、モーターを間欠的に駆動するコントローラとからなる巻取り機構と、研磨布の送り量を計測するピッチローラと、ピッチローラの回転数を検出してその回転数をコントローラに伝達するセンサーとからなる送り量検出機構とを備えたものとしたので、研磨布の巻取り量を常に一定量の巻取り幅とすることができる。
したがって、本発明のメダル研磨装置は、研磨布を無駄に消費することなくメダルを綺麗に研磨することができるいう大きな利点を有する。
【図面の簡単な説明】
【図１】本発明のメダル研磨装置の主要部の正面図である。
【図２】メダル研磨装置の主要部の拡大図である。
【図３】プーリと無端ベルトの詳細図である。
【図４】メダル搬送装置の平面図である。
【図５】研磨布送り装置の詳細図である。
【符号の説明】
２　メダル研磨装置
２８　巻取り軸
２９　研磨布
３４　ピッチローラ
８１　モーター
８２　センサー
８３　コントローラ
【図１】
2004086537.tif 000003
【図２】
2004086537.tif 000004
【図３】
2004086537.tif 000005
【図４】
2004086537.tif 000006
【図５】
2004086537.tif 000007